(57)【要約】【課題】プロテクタに対する結束部材の相対回転を抑制することができるワイヤハーネスを提供する。【解決手段】ワイヤハーネスＷＨは、配索材１と、配索材を保持するプロテクタ２と、配索材をプロテクタに対して固定する結束部材３と、を備え、結束部材は、プロテクタおよび配索材に対して巻かれたバンド部３１と、バンド部の基端につながっており、かつ挿通孔３４を有し、挿通孔に挿通されたバンド部を係止するヘッド部３２と、を有し、プロテクタは、ヘッド部を収容する収容部を有し、収容部は、幅方向の両側からバンド部を挟んで互いに対向しており、かつヘッド部におけるバンド部の基端と接続された面を係止する一対の第一係止部２４ａ，２４ｂと、幅方向の両側からバンド部を挟んで互いに対向しており、かつヘッド部における挿通孔の挿入口が形成された面を係止する一対の第二係止部２５ａ，２５ｂと、を有する。【選択図】図８
2019091530.tif 000002
【特許請求の範囲】
【請求項１】
配索材と、
前記配索材を保持するプロテクタと、
前記配索材を前記プロテクタに対して固定する結束部材と、
を備え、
前記結束部材は、前記プロテクタおよび前記配索材に対して巻かれたバンド部と、前記バンド部の基端につながっており、かつ挿通孔を有し、前記挿通孔に挿通された前記バンド部を係止するヘッド部と、を有し、
前記プロテクタは、前記ヘッド部を収容する収容部を有し、
前記収容部は、幅方向の両側から前記バンド部を挟んで互いに対向しており、かつ前記ヘッド部における前記バンド部の基端と接続された面を係止する一対の第一係止部と、幅方向の両側から前記バンド部を挟んで互いに対向しており、かつ前記ヘッド部における前記挿通孔の挿入口が形成された面を係止する一対の第二係止部と、を有する
ことを特徴とするワイヤハーネス。
【請求項２】
前記プロテクタは、前記配索材を支持する支持面を有する主壁部と、前記支持面における幅方向の端部から前記主壁部と交差する方向に延出した側壁部と、を有し、
前記収容部は、前記側壁部の縁部から前記主壁部にわたって形成された切欠き部を含み、
前記第一係止部は、前記側壁部における前記切欠き部の入口部に形成され、前記バンド部の側面に向けて突出している突部である
請求項１に記載のワイヤハーネス。
【請求項３】
前記プロテクタは、前記配索材を支持する支持面を有する主壁部と、前記支持面における幅方向の端部から前記主壁部と交差する方向に延出した側壁部と、を有し、
前記収容部は、前記側壁部の縁部から前記主壁部にわたって形成された切欠き部を含み、
前記第二係止部は、前記主壁部における前記支持面とは反対側の面である裏面から突出した突部であり、かつ前記切欠き部に隣接して配置されている
請求項１または２に記載のワイヤハーネス。
【請求項４】
前記結束部材は、更に、固定対象の壁部に対して固定されるアンカー部を有し、
前記アンカー部は、前記ヘッド部から突出しており、固定対象の壁部に形成された孔に挿入されて係止される柱状部と、前記柱状部の基端部に設けられ、かつ弾性変形可能であり、前記柱状部が係止された状態で前記壁部を押圧する押圧部と、を有し、
前記第二係止部は、前記押圧部が弾性変形していない状態で前記押圧部と離間しており、かつ、前記柱状部が係止された状態で前記押圧部を支持する
請求項１から３の何れか１項に記載のワイヤハーネス。
【発明の詳細な説明】
【技術分野】
【０００１】
本発明は、ワイヤハーネスに関する。
【背景技術】
【０００２】
従来、プロテクタに対して結束部材が取り付けられることがある。特許文献１には、プロテクタの外周部から突出するとともに、プロテクタの円周方向に亘って延在する一対の環状突起を少なくとも１組以上設けたプロテクタの技術が開示されている。特許文献１のプロテクタは、バンド部材を環状突起に挟持させてバンド部材が横ずれするのを防止することができるとともに、基体を環状突起の前後端部に挟持させてバンド部材が回転するのを防止することができる、とされている。
【先行技術文献】
【特許文献】
【０００３】
【特許文献１】特開２０００−１６１５３８号公報
【発明の概要】
【発明が解決しようとする課題】
【０００４】
プロテクタに対する結束部材の位置ずれを抑制することについて、なお改良の余地がある。例えば、結束部材によって配索材をプロテクタに対して固定する場合に、結束部材の回転を抑制できることが望まれている。
【０００５】
本発明の目的は、プロテクタに対する結束部材の相対回転を抑制することができるワイヤハーネスを提供することである。
【課題を解決するための手段】
【０００６】
本発明のワイヤハーネスは、配索材と、前記配索材を保持するプロテクタと、前記配索材を前記プロテクタに対して固定する結束部材と、を備え、前記結束部材は、前記プロテクタおよび前記配索材に対して巻かれたバンド部と、前記バンド部の基端につながっており、かつ挿通孔を有し、前記挿通孔に挿通された前記バンド部を係止するヘッド部と、を有し、前記プロテクタは、前記ヘッド部を収容する収容部を有し、前記収容部は、幅方向の両側から前記バンド部を挟んで互いに対向しており、かつ前記ヘッド部における前記バンド部の基端と接続された面を係止する一対の第一係止部と、幅方向の両側から前記バンド部を挟んで互いに対向しており、かつ前記ヘッド部における前記挿通孔の挿入口が形成された面を係止する一対の第二係止部と、を有することを特徴とする。
【発明の効果】
【０００７】
本発明に係るワイヤハーネスは、配索材と、配索材を保持するプロテクタと、配索材をプロテクタに対して固定する結束部材と、を備える。結束部材は、プロテクタおよび配索材に対して巻かれたバンド部と、バンド部の基端につながっており、かつ挿通孔を有し、挿通孔に挿通されたバンド部を係止するヘッド部と、を有する。プロテクタは、ヘッド部を収容する収容部を有する。
【０００８】
収容部は、幅方向の両側からバンド部を挟んで互いに対向しており、かつヘッド部におけるバンド部の基端と接続された面を係止する一対の第一係止部と、幅方向の両側からバンド部を挟んで互いに対向しており、かつヘッド部における挿通孔の挿入口が形成された面を係止する一対の第二係止部と、を有する。本発明に係るワイヤハーネスによれば、二つの係止部によってヘッド部の二つの面を係止することで、結束部材の相対回転を抑制することができるという効果を奏する。
【図面の簡単な説明】
【０００９】
【図１】図１は、実施形態に係るワイヤハーネスの斜視図である。
【図２】図２は、実施形態に係る結束部材の側面図である。
【図３】図３は、実施形態に係る結束部材の斜視図である。
【図４】図４は、実施形態に係るプロテクタの斜視図である。
【図５】図５は、実施形態に係るプロテクタの側面図である。
【図６】図６は、実施形態に係るプロテクタの正面図である。
【図７】図７は、実施形態における結束部材の巻き付け方法を説明する正面図である。
【図８】図８は、実施形態における結束部材の巻き付け方法を説明する斜視図である。
【図９】図９は、実施形態における結束部材の巻き付け方法を説明する側面図である。
【図１０】図１０は、実施形態における結束部材の巻き付け方法を説明する断面図である。
【発明を実施するための形態】
【００１０】
以下に、本発明の実施形態に係るワイヤハーネスにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図１０を参照して、実施形態について説明する。本実施形態は、ワイヤハーネスに関する。図１は、実施形態に係るワイヤハーネスの斜視図、図２は、実施形態に係る結束部材の側面図、図３は、実施形態に係る結束部材の斜視図、図４は、実施形態に係るプロテクタの斜視図、図５は、実施形態に係るプロテクタの側面図、図６は、実施形態に係るプロテクタの正面図、図７は、実施形態における結束部材の巻き付け方法を説明する正面図、図８は、実施形態における結束部材の巻き付け方法を説明する斜視図、図９は、実施形態における結束部材の巻き付け方法を説明する側面図、図１０は、実施形態における結束部材の巻き付け方法を説明する断面図である。図１０には、図７のX−X断面が示されている。
【００１２】
図１に示すように、実施形態に係るワイヤハーネスＷＨは、配索材１と、プロテクタ２と、結束部材３とを有する。ワイヤハーネスＷＨは、更に、電気接続箱を有していてもよい。ワイヤハーネスＷＨは、自動車等の車両において、車両に搭載された各装置間を接続する。ワイヤハーネスＷＨは、電源供給や信号通信に用いられる配索材１を有する。ワイヤハーネスＷＨが有する配索材１の本数は、一本であっても、複数本であってもよい。
【００１３】
本実施形態の配索材１は、芯線１１と、芯線１１を覆う絶縁性の被覆１２とを有する被覆電線である。配索材１の一端は、例えば、電気接続箱内に収納されている電子部品と接続される。配索材１の他端は、例えば、コネクタ等を介してバッテリや電装部品等の各装置（外部機器）と接続される。
【００１４】
プロテクタ２は、配索材１を保持する部材である。プロテクタ２は、配索経路に応じた形状に形成されている。プロテクタ２は、配索経路に沿って配索材１を延在させると共に、配索材１を保護する。プロテクタ２は、例えば、絶縁性の合成樹脂で形成されている。
【００１５】
結束部材３は、プロテクタ２に対して配索材１を固定する。本実施形態の結束部材３は、所謂バンドクリップと称される部材である。より詳しくは、結束部材３は、バンド部３１と、ヘッド部３２と、アンカー部３３と、を有する。バンド部３１、ヘッド部３２、およびアンカー部３３は、絶縁性の合成樹脂等で一体に形成されている。
【００１６】
バンド部３１は、細長い平板状に形成された構成部である。バンド部３１は、可撓性を有しており、任意の湾曲形状に弾性変形することができる。バンド部３１は、配索材１およびプロテクタ２に対して巻き付けられ、かつ締め付けられることで配索材１をプロテクタ２に対して固定する。
【００１７】
ヘッド部３２は、バンド部３１の基端３１ａとつながっている。ヘッド部３２の形状は、例えば、ブロック形状である。ヘッド部３２は、バンド部３１の幅方向においてバンド部３１よりも広い幅を有している。本実施形態のヘッド部３２の形状は、略直方体である。バンド部３１は、ヘッド部３２が有する複数の面の一つである第一の面３２ａから延出している。第一の面３２ａの形状は、矩形である。バンド部３１は、第一の面３２ａの端部３２ａｅから、第一の面３２ａに対して直交する方向に延出している。
【００１８】
図２および図３に示すように、ヘッド部３２は、挿通孔３４を有する。挿通孔３４は、第一の面３２ａと平行な方向に沿ってヘッド部３２を貫通している貫通孔である。挿通孔３４は、ヘッド部３２の内部を第二の面３２ｂから第三の面３２ｃまで延在している。第二の面３２ｂおよび第三の面３２ｃは、それぞれ第一の面３２ａと隣接しており、かつ互いに逆方向を向く面である。本実施形態の結束部材３では、第二の面３２ｂおよび第三の面３２ｃが第一の面３２ａと直交している。
【００１９】
挿通孔３４は、入口側開口３４ａおよび出口側開口３４ｂを有する。入口側開口３４ａは、挿通孔３４における第二の面３２ｂの開口部である。出口側開口３４ｂは、挿通孔３４における第三の面３２ｃの開口部である。バンド部３１の先端３１ｂは、入口側開口３４ａから挿通孔３４に挿入され、出口側開口３４ｂから突出する。挿通孔３４は、ヘッド部３２における第一の面３２ａ側とは反対側の端部に形成されている。ヘッド部３２は、挿通孔３４に挿通されたバンド部３１を係止する係止機構を有する。係止機構は、例えば、バンド部３１に形成されている凹凸を係止する爪部である。
【００２０】
アンカー部３３は、ヘッド部３２における第一の面３２ａ側とは反対側の端部につながっている。アンカー部３３は、柱状部３６、および押圧部３７を有する。押圧部３７は、基部３７ａおよびスカート部３７ｂを有する。基部３７ａは、円盤状の構成部である。以下の説明において、ヘッド部３２の第一の面３２ａと直交する方向を「軸方向Ｘ」と称する。また、挿通孔３４の延在する方向を「挿入方向Ｙ」と称する。基部３７ａは、ヘッド部３２に対して軸方向Ｘと直交する方向に張り出している。基部３７ａの外径は、ヘッド部３２から軸方向Ｘに沿って遠ざかるに従って大きくなる。
【００２１】
柱状部３６は、柱状に形成された構成部である。柱状部３６は、ヘッド部３２から軸方向Ｘに沿ってバンド部３１側とは反対側に向けて突出している。柱状部３６は、互いに直交する４枚の板状部３６ａを有する。板状部３６ａは、軸方向Ｘと直交する方向に突出しており、かつ軸方向Ｘに沿って延在している。２枚の板状部３６ａは、挿入方向Ｙに向けて突出している。他の２枚の板状部３６ａは、挿入方向Ｙと直交する方向に向けて突出している。板状部３６ａの先端部は、先細形状となっている。軸方向Ｘにおける柱状部３６の中間部には、被係止部３６ｂが形成されている。被係止部３６ｂは、角柱状の構成部である。被係止部３６ｂの断面形状は、略矩形である。
【００２２】
スカート部３７ｂは、基部３７ａの縁部につながっている。スカート部３７ｂは、弾性変形可能な板状の構成部である。軸方向Ｘから見た場合のスカート部３７ｂの形状は、円環形状である。スカート部３７ｂは、スカート状に形成されており、軸方向Ｘに対して傾斜している。より詳しくは、スカート部３７ｂは、軸方向Ｘに沿ってヘッド部３２から遠ざかるに従って径が拡大している。
【００２３】
結束部材３は、図２に示すように、車両の壁部４に対して固定される。壁部４は、例えば、金属製や樹脂製のパネル部材である。壁部４には、壁部４を貫通する孔４１が形成されている。壁部４に対する結束部材３の固定は、例えば、作業者によってなされる。孔４１に対して、アンカー部３３の柱状部３６が先端側から挿入される。柱状部３６が孔４１に対して奥まで挿入されると、押圧部３７のスカート部３７ｂが壁部４に接触する。柱状部３６が更に奥まで挿入されることで、スカート部３７ｂが弾性変形して壁部４を押圧する。作業者は、スカート部３７ｂを弾性変形させながら、被係止部３６ｂが孔４１を通過するまで柱状部３６を孔４１に挿入する。孔４１を通過した被係止部３６ｂは、壁部４によって係止される。被係止部３６ｂと、弾性変形したスカート部３７ｂとによって壁部４が挟み込まれることで、アンカー部３３が壁部４に固定される。
【００２４】
なお、結束部材３は、配索材１とプロテクタ２とを固定した状態で壁部４に対して取り付けられる。つまり、本実施形態のワイヤハーネスＷＨは、アンカー部３３によって壁部４に対して固定される。言い換えると、配索材１およびプロテクタ２は、結束部材３を介して壁部４によって支持される。ワイヤハーネスＷＨは、例えば、複数の結束部材３を有しており、複数の結束部材３のアンカー部３３がそれぞれ壁部４に対して固定される。
【００２５】
図４乃至図６に示すように、プロテクタ２は、主壁部２１、第一側壁部２２、および第二側壁部２３を有する。主壁部２１、第一側壁部２２、および第二側壁部２３は、一体に形成されている。主壁部２１は、平板状の構成部であり、配索材１を支持する支持面２１ａを有している。主壁部２１において、支持面２１ａ側とは反対側の面を裏面２１ｂと称する。
【００２６】
第一側壁部２２は、主壁部２１における幅方向の一方側の端部とつながっている。第二側壁部２３は、主壁部２１における幅方向の他方側の端部とつながっている。第一側壁部２２は、支持面２１ａにおける幅方向の一方側の端部から、主壁部２１と交差する方向に延出している。第二側壁部２３は、支持面２１ａにおける幅方向の他方側の端部から、主壁部２１と交差する方向に延出している。
【００２７】
図５に示すように、主壁部２１、第一側壁部２２、および第二側壁部２３は、配索空間２６を形成している。配索空間２６は、配索材１が収容される空間部であり、主壁部２１および二つの側壁部２２，２３によって囲まれている。本実施形態のプロテクタ２では、第一側壁部２２は、主壁部２１となす角度θ１が鋭角となるように主壁部２１に対して立設されている。第二側壁部２３は、主壁部２１となす角度θ２が鈍角となるように主壁部２１に対して立設されている。プロテクタ２は、主壁部２１と二つの側壁部２２，２３との接続部分において湾曲している。
【００２８】
図４に示すように、主壁部２１は、バンド部３１が挿通される貫通孔２７を有する。貫通孔２７は、主壁部２１を板厚方向に貫通している。本実施形態の貫通孔２７は、主壁部２１における第二側壁部２３側の端部に形成されている。貫通孔２７の形状は、例えば、矩形である。貫通孔２７の幅および奥行きの寸法は、貫通孔２７に対して結束部材３のバンド部３１を挿入可能な値とされている。バンド部３１は、支持面２１ａ側から貫通孔２７に挿入される。
【００２９】
以下の説明では、配索材１の延在する方向を「配索方向ＡＸ」と称する。配索方向ＡＸは、プロテクタ２に対して配索材１が配索される方向である。図６に示すように、プロテクタ２は、一対のガイドリブ２８，２８を有する。ガイドリブ２８，２８は、第二側壁部２３から第一側壁部２２に向けて突出している線状のリブである。ガイドリブ２８，２８は、バンド部３１を貫通孔２７に導く。ガイドリブ２８，２８は、配索方向ＡＸにおいて貫通孔２７を挟んで位置している。
【００３０】
図４および図６に示すように、プロテクタ２は、収容部２０を有する。収容部２０は、結束部材３のヘッド部３２を収容し、ヘッド部３２を保持するように構成されている。収容部２０は、切欠き部２０ａを含む。切欠き部２０ａは、第一側壁部２２の縁部２２ａから主壁部２１にわたって形成されている。つまり、切欠き部２０ａは、配索方向ＡＸにおいて第一側壁部２２を分断するように形成されている。また、切欠き部２０ａの奥部は、主壁部２１に形成されている。切欠き部２０ａは、主壁部２１の幅方向において貫通孔２７と隣接する位置に形成されている。つまり、図４に示すように、主壁部２１は、貫通孔２７と切欠き部２０ａとによって挟まれた柱部２１ｃを有する。
【００３１】
本実施形態の収容部２０は、一対の第一係止部２４ａ，２４ｂおよび一対の第二係止部２５ａ，２５ｂを有する。以下の説明では、一対の第一係止部２４ａ，２４ｂをまとめて「第一係止部２４」と称することがある。また、一対の第二係止部２５ａ，２５ｂをまとめて「第二係止部２５」と称することがある。第一係止部２４および第二係止部２５は、収容部２０に収容されたヘッド部３２を係止し、ヘッド部３２の位置ずれを規制する。第一係止部２４は、第一側壁部２２における切欠き部２０ａの入口部に形成されている。第一係止部２４は、第一側壁部２２に設けられ、配索方向ＡＸに向けて突出した突部である。
【００３２】
一対の第一係止部２４ａ，２４ｂは、配索方向ＡＸにおいて互いに対向している。一方の第一係止部２４ａは、配索方向ＡＸの一方に向けて突出しており、他方の第一係止部２４ｂは、配索方向ＡＸの他方に向けて突出している。第一係止部２４が設けられていることにより、切欠き部２０ａの入口部分の幅Ｗｄ１（図６参照）は、切欠き部２０ａの奥部の幅Ｗｄ２よりも狭くなっている。入口部分の幅Ｗｄ１は、一対の第一係止部２４ａ，２４ｂの先端面同士の間隔である。
【００３３】
図７に示すように、入口部分の幅Ｗｄ１は、バンド部３１の幅Ｗａ１よりも広く、かつヘッド部３２の幅Ｗａ２よりも狭い。つまり、一対の第一係止部２４ａ，２４ｂの間隔（＝入口部分の幅Ｗｄ１）は、バンド部３１の通過を許容し、かつヘッド部３２の通過を規制する値である。一対の第一係止部２４ａ，２４ｂの側面である係止面２４ｃ，２４ｄは、ヘッド部３２を係止する。図７等からわかるように、一対の第一係止部２４ａ，２４ｂは、バンド部３１の側面に向けて突出した突部である。
【００３４】
また、切欠き部２０ａにおける奥部の幅Ｗｄ２は、ヘッド部３２の幅Ｗａ２よりもわずかに広い。すなわち、各幅Ｗａ１，Ｗａ２，Ｗｄ１，Ｗｄ２は、下記式（１）の関係を有する。
Ｗａ１＜Ｗｄ１＜Ｗａ２＜Ｗｄ２…（１）
【００３５】
第二係止部２５は、主壁部２１の裏面２１ｂから突出した突部である。第二係止部２５は、切欠き部２０ａに隣接して配置されている。より詳しくは、一対の第二係止部２５ａ，２５ｂは、柱部２１ｃの両端部に形成されている。すなわち、図４に示すように、一方の第二係止部２５ａは、柱部２１ｃにおける配索方向ＡＸの一端から突出している。他方の第二係止部２５ｂは、柱部２１ｃにおける配索方向ＡＸの他端から突出している。一対の第二係止部２５ａ，２５ｂは、それぞれ係止面２５ｃ，２５ｄを有する。係止面２５ｃ，２５ｄは、第二係止部２５における第一側壁部２２側を向く面である。
【００３６】
配索方向ＡＸにおける一対の第二係止部２５ａ，２５ｂの間隔Ｗｃ１（図６参照）は、バンド部３１の幅Ｗａ１よりも広く、かつヘッド部３２の幅Ｗａ２よりも狭い。つまり、一対の第二係止部２５ａ，２５ｂの間隔Ｗｃ１の値は、バンド部３１の通過を許容し、かつヘッド部３２の通過を規制する値である。
【００３７】
切欠き部２０ａの最も奥側には、係止面２１ｄが形成されている。係止面２１ｄは、主壁部２１の一部であり、主壁部２１の幅方向を向いている。係止面２１ｄは、柱部２１ｃの側面である。係止面２１ｄは、収容部２０に収容されたヘッド部３２を係止する。
【００３８】
図７から図９を参照して、プロテクタ２に対する配索材１の固定方法について説明する。図７に示すように、配索材１がプロテクタ２に載置された状態で、結束部材３がプロテクタ２および配索材１に対して巻き付けられる。このときに、結束部材３のヘッド部３２が収容部２０に収容される。より詳しくは、ヘッド部３２は、第一の面３２ａを係止面２４ｃ，２４ｄと対向させるように収容部２０に収容される。作業者は、ヘッド部３２を収容部２０に収容し、バンド部３１を配索材１に巻き付ける。
【００３９】
このときに、作業者は、一対の第一係止部２４ａ，２４ｂの隙間を通過させてバンド部３１を配索材１に対して巻き付ける。ヘッド部３２が収容部２０に収容されると、配索方向ＡＸにおけるバンド部３１の位置決めがなされる。バンド部３１は、一対の第一係止部２４ａ，２４ｂの隙間と対向する位置に位置付けられる。従って、作業者は、バンド部３１を配索材１に対して巻き付けていくだけで、バンド部３１を一対の第一係止部２４ａ，２４ｂの隙間に通すことができる。一対の第一係止部２４ａ，２４ｂは、配索方向ＡＸの両側からバンド部３１を支持し、バンド部３１の位置ずれを規制することができる。
【００４０】
作業者は、配索材１に巻き付けたバンド部３１の先端３１ｂを貫通孔２７に挿入する。先端３１ｂは、貫通孔２７から主壁部２１の裏面２１ｂ側に突出する。作業者は、図８および図９に示すように、バンド部３１の先端３１ｂをヘッド部３２の挿通孔３４に挿入する。バンド部３１の先端３１ｂは、挿通孔３４の出口側開口３４ｂから突出する。作業者は、バンド部３１における先端３１ｂ側の部分を挿通孔３４から引き出してバンド部３１を締め付けていく。バンド部３１の締め付け作業は、工具等を用いてなされてもよい。バンド部３１が締め付けられていくと、バンド部３１が一対の第二係止部２５ａ，２５ｂの隙間に入り込む。一対の第二係止部２５ａ，２５ｂは、配索方向ＡＸの両側からバンド部３１を支持し、バンド部３１の位置ずれを規制することができる。
【００４１】
バンド部３１の締め付け作業により、ヘッド部３２には二方向の力が作用する。図９に示すように、バンド部３１が配索材１およびプロテクタ２に対して締め付けられていくときには、第一の力Ｆ１および第二の力Ｆ２がヘッド部３２に対して作用する。第一の力Ｆ１は、バンド部３１の基端３１ａがヘッド部３２を引っ張る向きの力である。ヘッド部３２は、第一の力Ｆ１によってプロテクタ２の係止面２４ｃ，２４ｄに向けて押圧される。係止面２４ｃ，２４ｄは、ヘッド部３２を係止して結束部材３の回転を規制する。
【００４２】
第二の力Ｆ２は、貫通孔２７に挿通されたバンド部３１からヘッド部３２に作用する力である。言い換えると、第二の力Ｆ２は、ヘッド部３２がバンド部３１を係止する係止力に応じた力である。第二の力Ｆ２は、バンド部３１をヘッド部３２から引き抜く向きの力である。ヘッド部３２は、第二の力Ｆ２によってプロテクタ２の係止面２１ｄおよび第二係止部２５に向けて押圧される。係止面２１ｄおよび第二係止部２５は、ヘッド部３２を係止して結束部材３の回転を規制する。
【００４３】
結束部材３によって配索材１がプロテクタ２に対して固定されることで、ワイヤハーネスＷＨが完成する。ワイヤハーネスＷＨは、結束部材３のアンカー部３３によって壁部４に対して固定される。ここで、ワイヤハーネスＷＨが壁部４に対して取り付けられるまでに、ヘッド部３２に対して第一の力Ｆ１や第二の力Ｆ２が作用することがある。例えば、ワイヤハーネスＷＨが搬送される際に、他の部品との接触等によってヘッド部３２に対して第一の力Ｆ１や第二の力Ｆ２が作用することがある。第一の力Ｆ１や第二の力Ｆ２によって結束部材３が回転してしまうと、アンカー部３３の位置がずれ、ワイヤハーネスＷＨが壁部４に対して固定できなくなる可能性がある。あるいは、壁部４に対するワイヤハーネスＷＨの取り付け角度や取り付け位置が所望の角度や位置と異なってしまう可能性がある。
【００４４】
ワイヤハーネスＷＨが壁部４に対して固定された後も、ヘッド部３２に対して第一の力Ｆ１や第二の力Ｆ２が作用することがある。例えば、車両の走行中に発生する振動などにより、第一の力Ｆ１や第二の力Ｆ２がヘッド部３２に作用する。第一の力Ｆ１や第二の力Ｆ２によって結束部材３が回転してしまうと、壁部４に対するワイヤハーネスＷＨの固定位置やワイヤハーネスＷＨの姿勢が変化してしまう。ヘッド部３２やアンカー部３３の位置ずれを抑制できることが望まれている。
【００４５】
本実施形態のワイヤハーネスＷＨは、ヘッド部３２の第一の面３２ａを係止する一対の第一係止部２４ａ，２４ｂを有する。一対の第一係止部２４ａ，２４ｂは、幅方向の両側からバンド部３１を挟んで互いに対向している。従って、第一係止部２４は、バンド部３１からヘッド部３２に作用する第一の力Ｆ１に抗して、適切にヘッド部３２を係止することができる。例えば、第一係止部２４は、ヘッド部３２に対して第一の力Ｆ１による回転モーメントが発生することを抑制しつつヘッド部３２を係止することができる。よって、第一係止部２４は、配索材１およびプロテクタ２に対する結束部材３の相対回転を規制することができる。その結果、第一係止部２４は、壁部４に対するワイヤハーネスＷＨの固定位置やワイヤハーネスＷＨの姿勢を適切に維持することができる。
【００４６】
本実施形態のワイヤハーネスＷＨは、ヘッド部３２の第二の面３２ｂを係止する一対の第二係止部２５ａ，２５ｂを有する。一対の第二係止部２５ａ，２５ｂは、幅方向の両側からバンド部３１を挟んで互いに対向している。従って、第二係止部２５は、バンド部３１からヘッド部３２に作用する第二の力Ｆ２に抗して、適切にヘッド部３２を係止することができる。例えば、第二係止部２５は、ヘッド部３２に対して第二の力Ｆ２による回転モーメントが発生することを抑制しつつヘッド部３２を係止することができる。よって、第二係止部２５は、配索材１およびプロテクタ２に対する結束部材３の相対回転を規制することができる。その結果、第二係止部２５は、壁部４に対するワイヤハーネスＷＨの固定位置やワイヤハーネスＷＨの姿勢を適切に維持することができる。
【００４７】
また、本実施形態の第二係止部２５は、壁部４に対してアンカー部３３が固定される際に、スカート部３７ｂの変形を阻害しにくいように構成されている。具体的には、第二係止部２５は、図９等に示すように段差部２５ｅを有している。第二係止部２５は、基端部２５１と、先端部２５２とを有する。基端部２５１は、主壁部２１側の構成部である。先端部２５２は、基端部２５１から、主壁部２１とは反対側に向けて突出している。挿入方向Ｙに沿った先端部２５２の幅は、基端部２５１の幅よりも狭い。先端部２５２は、基端部２５１における第二側壁部２３側の位置に形成されている。つまり、第二係止部２５は、第一側壁部２２側に、段差部２５ｅを有する。段差部２５ｅの形状は、押圧部３７の基部３７ａの形状に対応している。
【００４８】
図１０に示すように、段差部２５ｅが設けられることにより、基部３７ａおよびスカート部３７ｂと第二係止部２５との間に隙間が形成されている。従って、アンカー部３３が壁部４に対して取り付けられる際に、スカート部３７ｂの変形を第二係止部２５が阻害しにくい。言い換えると、スカート部３７ｂと第二係止部２５とが干渉しにくい。よって、本実施形態の第二係止部２５は、壁部４に対するワイヤハーネスＷＨの取り付け作業の作業性に影響しにくい。
【００４９】
また、第二係止部２５は、ワイヤハーネスＷＨが壁部４に固定された後に、基部３７ａやスカート部３７ｂを係止することができる。例えば、第二の力Ｆ２がヘッド部３２に作用した場合に、ヘッド部３２だけでなく基部３７ａやスカート部３７ｂを係止して結束部材３の回転を規制することができる。第二係止部２５は、ワイヤハーネスＷＨが壁部４に固定され、スカート部３７ｂが弾性変形した状態において、スカート部３７ｂと接触するように構成されてもよい。その一例として、スカート部３７ｂが弾性変形した状態において、第二係止部２５の先端面２５ｆがスカート部３７ｂに接触するように構成されてもよい。
【００５０】
以上説明したように、本実施形態に係るワイヤハーネスＷＨは、配索材１と、プロテクタ２と、結束部材３と、を有する。プロテクタ２は、配索材１を保持する部材である。結束部材３は、配索材１をプロテクタ２に対して固定する。結束部材３は、バンド部３１と、ヘッド部３２と、を有する。バンド部３１は、プロテクタ２および配索材１に対して巻かれる。ヘッド部３２は、バンド部３１の基端３１ａにつながっており、かつ挿通孔３４を有する。ヘッド部３２は、挿通孔３４に挿通されたバンド部３１を係止する。
【００５１】
プロテクタ２は、ヘッド部３２を収容する収容部２０を有する。収容部２０は、一対の第一係止部２４ａ，２４ｂと、一対の第二係止部２５ａ，２５ｂと、を有する。一対の第一係止部２４ａ，２４ｂは、幅方向の両側からバンド部３１を挟んで互いに対向している。一対の第一係止部２４ａ，２４ｂは、ヘッド部３２におけるバンド部３１の第一の面３２ａを係止する。第一の面３２ａは、ヘッド部３２における基端３１ａと接続された面である。
【００５２】
一対の第二係止部２５ａ，２５ｂは、幅方向の両側からバンド部３１を挟んで互いに対向している。一対の第二係止部２５ａ，２５ｂは、ヘッド部３２における第二の面３２ｂを係止する。第二の面３２ｂは、ヘッド部３２における挿通孔３４の入口側開口３４ａが形成された面である。
【００５３】
本実施形態のワイヤハーネスＷＨでは、一対の第一係止部２４ａ，２４ｂがヘッド部３２の第一の面３２ａを係止し、一対の第二係止部２５ａ，２５ｂがヘッド部３２の第二の面３２ｂを係止する。ヘッド部３２の第一の面３２ａおよび第二の面３２ｂがそれぞれ係止されることで、配索材１およびプロテクタ２に対する結束部材３の相対回転が規制される。言い換えると、結束部材３が配索材１をプロテクタ２に対して固定した状態（以下、単に「固定状態」と称する。）において、結束部材３の位置ずれが規制される。本実施形態に係るワイヤハーネスＷＨでは、ヘッド部３２の位置ずれが規制されることで、ヘッド部３２と他部品との干渉が発生しにくい。また、結束部材３の位置ずれが規制されることで、配索材１の位置ずれや結束部材３の緩みが生じにくい。
【００５４】
また、本実施形態のワイヤハーネスＷＨでは、一対の第一係止部２４ａ，２４ｂおよび一対の第二係止部２５ａ，２５ｂがそれぞれバンド部３１を挟んで互いに対向している。従って、バンド部３１からヘッド部３２に作用する力Ｆ１，Ｆ２に対して、ヘッド部３２の位置ずれが適切に規制される。
【００５５】
本実施形態のワイヤハーネスＷＨでは、ヘッド部３２が収容部２０に収容されることでヘッド部３２の位置ずれが規制される。よって、ヘッド部３２に相対回転規制のための特別な構成を設ける必要がなく、既存の結束部材３を用いることが可能である。
【００５６】
本実施形態のプロテクタ２は、主壁部２１と、第一側壁部２２と、を有する。主壁部２１は、配索材１を支持する支持面２１ａを有する壁部である。第一側壁部２２は、支持面２１ａにおける幅方向の端部から主壁部２１と交差する方向に延出した側壁部である。収容部２０は、第一側壁部２２に縁部から主壁部２１にわたって形成された切欠き部２０ａを含む。第一係止部２４は、第一側壁部２２における切欠き部２０ａの入口部に形成されている。第一係止部２４は、第一側壁部２２からバンド部３１の側面に向けて突出している突部である。
【００５７】
切欠き部２０ａの入口部に形成された突部によって第一係止部２４が構成されることで、プロテクタ２に対する結束部材３の取り付け作業が容易となる。例えば、収容部２０に対するヘッド部３２の収容作業や、配索材１に対するバンド部３１の巻き付け作業の作業性が向上する。作業者は、一対の第一係止部２４ａ，２４ｂの隙間を通して容易にバンド部３１を配索材１に巻き付けることができる。比較例として、プロテクタ２にバンド部３１用の挿通孔が二つ設けられており、これら二つの挿通孔にそれぞれバンド部３１を挿入しなければならない構成が挙げられる。二つの挿通孔のうち一方の挿通孔は、例えば、ヘッド部３２の位置決め用に設けられる。
【００５８】
この比較例では、挿通孔にバンド部３１の先端３１ｂを挿入する作業が二回発生する。一方、本実施形態のワイヤハーネスＷＨでは、貫通孔２７にバンド部３１を挿入する以外に、バンド部３１の先端３１ｂをプロテクタ２に挿入する作業が必要ない。従って、本実施形態のワイヤハーネスＷＨによれば、結束部材３によって配索材１をプロテクタ２に固定する作業の作業性が向上する。
【００５９】
また、作業者は、一対の第一係止部２４ａ，２４ｂの間にバンド部３１を入れるだけでヘッド部３２を収容部２０に収容させ、プロテクタ２に対するヘッド部３２の位置決めを行うことができる。よって、本実施形態のワイヤハーネスＷＨによれば、結束部材３によって配索材１をプロテクタ２に固定する作業の作業性が向上する。
【００６０】
本実施形態の第二係止部２５は、裏面２１ｂから突出した突部であり、かつ切欠き部２０ａに隣接して配置されている。裏面２１ｂは、主壁部２１における支持面２１ａとは反対側の面である。裏面２１ｂから突出した突部によって第二係止部２５が構成されることで、ヘッド部３２をプロテクタ２における裏面２１ｂ側に固定することができる。ヘッド部３２が裏面２１ｂ側に固定されることで、ヘッド部３２と他部品との干渉が生じにくい。
【００６１】
本実施形態の結束部材３は、更に、固定対象の壁部４に対して固定されるアンカー部３３を有する。アンカー部３３は、柱状部３６と、押圧部３７と、を有する。柱状部３６は、ヘッド部３２から突出しており、壁部４に形成された孔４１に挿入されて係止される。押圧部３７は、柱状部３６の基端部に設けられ、かつ弾性変形可能である。押圧部３７は、柱状部３６が係止された状態で壁部４を押圧する。
【００６２】
第二係止部２５は、押圧部３７が弾性変形していない状態で押圧部３７と離間している。一方、第二係止部２５は、柱状部３６が係止された状態で押圧部３７を支持する。本実施形態の第二係止部２５は、基端部２５１および先端部２５２の二段構成となっている。この二段構成により、弾性変形する押圧部３７に対する第二係止部２５の干渉を抑制しつつ、ヘッド部３２の位置ずれを規制することが可能となる。
【００６３】
また、柱状部３６が係止された状態では、先端部２５２が押圧部３７を支持することができる。例えば、第二係止部２５は、先端面２５ｆがスカート部３７ｂに接触することで押圧部３７を支持してもよい。或いは、第二係止部２５は、柱状部３６が係止された状態で、スカート部３７ｂに対して先端面２５ｆがわずかな隙間をあけて対向するように構成されてもよい。第二係止部２５がヘッド部３２に加えて押圧部３７を支持することで、結束部材３の位置ずれがより確実に規制される。
【００６４】
第二係止部２５の段差部２５ｅは、押圧部３７の基部３７ａを係止することもできる。例えば、壁部４に対してワイヤハーネスＷＨが固定された状態において、自重によって結束部材３に対してプロテクタ２を相対回転させる力がかかる可能性がある。この場合に、段差部２５ｅが基部３７ａを係止して、相対回転を規制することができる。
【００６５】
［実施形態の変形例］
実施形態の変形例について説明する。収容部２０の配置や形状は、例示した配置や形状には限定されない。また、第一係止部２４および第二係止部２５の配置や形状は、例示した配置や形状には限定されない。結束部材３は、アンカー部３３を有していないものであってもよい。
【００６６】
上記の実施形態および変形例に開示された内容は、適宜組み合わせて実行することができる。
【符号の説明】
【００６７】
１  配索材
２  プロテクタ
３  結束部材
４  壁部
１１  芯線
１２  被覆
２０  収容部
２０ａ  切欠き部
２１  主壁部
２１ａ  支持面
２１ｂ  裏面
２１ｃ  柱部
２１ｄ  係止面
２２  第一側壁部（側壁部）
２２ａ  縁部
２３  第二側壁部
２４  第一係止部
２４ａ  一方の第一係止部
２４ｂ  他方の第一係止部
２４ｃ，２４ｄ  係止面
２５  第二係止部
２５１  基端部
２５２  先端部
２５ａ  一方の第二係止部
２５ｂ  他方の第二係止部
２５ｃ，２５ｄ  係止面
２５ｅ  段差部
２５ｆ  先端面
２６  配索空間
２７  貫通孔
３１  バンド部
３１ａ  基端
３１ｂ  先端
３２  ヘッド部
３２ａ  第一の面
３２ａｅ  端部
３２ｂ  第二の面
３２ｃ  第三の面
３３  アンカー部
３４  挿通孔
３４ａ  入口側開口
３４ｂ  出口側開口
３６  柱状部
３６ａ  板状部
３６ｂ  被係止部
３７  押圧部
３７ａ  基部
３７ｂ  スカート部
ＷＨ  ワイヤハーネス
ＡＸ  配索方向
Ｘ  軸方向
Ｙ  挿入方向
【図１】
2019091530.tif 000003
【図２】
2019091530.tif 000004
【図３】
2019091530.tif 000005
【図４】
2019091530.tif 000006
【図５】
2019091530.tif 000007
【図６】
2019091530.tif 000008
【図７】
2019091530.tif 000009
【図８】
2019091530.tif 000010
【図９】
2019091530.tif 000011
【図１０】
2019091530.tif 000012